(57)【要約】【課題】本考案は、貴金属や水晶の持つ優雅さや豪華さ或いは輝きと共に、その内側に配置した様々な絵や写真により楽しみを倍加し、付加価値を高めた装飾品を提供するものである。【解決手段】貴金属製の基盤、該基盤上に配設される絵画又は写真並びに該絵画又は写真を被覆する水晶板よりなる装飾品において、該水晶板は表・裏面側をほぼ同一の曲率とした凸状の滑な湾曲体とし、該水晶板の端縁部により絵画又は写真の周縁部を押さえ且つ該水晶板は、その端縁部の表面側を該基盤の周囲から立ち上げた貴金属製の立ち上げ部によって固定してなることを特徴とする装飾品。【選択図】図１
0003134343.tif 000002
【実用新案登録請求の範囲】
【請求項１】
貴金属製の基盤、該基盤上に配設される絵画又は写真並びに該絵画又は写真を被覆する水晶板よりなる装飾品において、該水晶板は表・裏面側をほぼ同一の曲率とした凸状の滑な湾曲体とし、該水晶板の端縁部により絵画又は写真の周縁部を押さえ且つ該水晶板は、その端縁部の表面側を該基盤の周囲から立ち上げた貴金属製の立ち上げ部によって固定してなることを特徴とする装飾品。
【請求項２】
絵画又は写真は、動物・植物等を対象としてなることを特徴とする請求項１記載の装飾品。
【請求項３】
装飾品をペンダント、リング、ブローチ、キーホルダー或いはストラップのいずれかに使用したことを特徴とする請求項１又は２記載の装飾品。
【考案の詳細な説明】
【技術分野】
【０００１】
本考案は、ペンダント、リング、ブローチ、キーホルダー、ストラップ等に使用する装飾品で、絵画又は写真をその装飾手段の一部とした装飾品に関するものである。
【背景技術】
【０００２】
従来より、ペンダント、リング、ブローチ、キーホルダー、ストラップ等に使用する装飾品においては、その主たる箇所に貴金属、宝石、貴石、真珠、造形品等を採用している。
【０００３】
また、ガラスや水晶等を適宜カットし、光の屈折を利用した光学的に優れた装飾性を放つ装飾品も見受けられる。
【０００４】
更に、特開平６−２６１８０６号公報や実用新案登録第３１２３８９６号公報のように装飾品に孔や窪みを設け、当該箇所に物品を収納し、それら収納物が外側から可視できるように表面側に水晶等の透明な材料で被覆したものがある。
【特許文献１】特開平６−２６１８０６号公報
【特許文献２】実用新案登録第３１２３８９６号公報
【考案の開示】
【考案が解決しようとする課題】
【０００５】
上記通常の貴金属や宝石等を装飾品としてペンダントやリング等に装着したものは、その貴金属や宝石自体の美しさや大きさや輝き等により優雅さや豪華さ等を楽しむものであったし、カット製品は光の反射や煌き等を楽しむものであった。
【０００６】
また、上記特許文献にあっては、前者は収納物をその前面の透明な球のレンズ作用によって拡大して豪華さを出すものであり、更に後者にあっては、孔や窪みとなった内側に骨を納めるもので、その目的は思い出のためである。
【０００７】
本考案は、貴金属や水晶の持つ優雅さや豪華さ或いは輝きと共に、その内側に配置した様々な絵や写真により楽しみを倍加し、付加価値を高めた装飾品を提供するものである。
【課題を解決するための手段】
【０００８】
本考案は、上記課題を解決する手段として、貴金属製の基盤、該基盤上に配設される絵画又は写真並びに該絵画又は写真を被覆する水晶板よりなる装飾品において、該水晶板は表・裏面側をほぼ同一の曲率とした凸状の滑な湾曲体とし、該水晶板の端縁部により絵画又は写真の周縁部を押さえ且つ該水晶板は、その端縁部の表面側を該基盤の周囲から立ち上げた貴金属製の立ち上げ部によって固定してなる装飾品を特徴とする。
【０００９】
また、上記絵画又は写真は、動物・植物等を対象としてなる装飾品を特徴とする。
【００１０】
更に、上記装飾品をペンダント、リング、ブローチ、キーホルダー或いはストラップのいずれかに使用した装飾品を特徴とする。
【考案の効果】
【００１１】
本考案の装飾品は、貴金属製の基盤や立ち上がり部による美しさや輝きや優雅さ或いは豪華さ等の他に、基盤上に配設した絵画又は写真並びに該絵画や写真を被覆する湾曲状の水晶板とにより楽しみを倍加し、付加価値を高めることを可能とした。
【００１２】
また、水晶板の表・裏面側をほぼ同一の曲率とした凸状の滑な湾曲体としたことにより、内側の絵画や写真を拡大したり、絵画や写真の一部を歪んだ状態とすることなく、そのままの状態で可視できることを可能とした。
【考案を実施するための最良の形態】
【００１３】
本考案の最良の実施の形態を図面に従って以下に詳述する。
【実施例１】
【００１４】
図１は、本考案の装飾品１の１実施例で、ペンダントに装着したものである。装飾品１は、シルバー或いはゴールド等の貴金属製となる基盤２とその周囲から立ち上げた同貴金属製の立ち上げ部３とよりなるベース部と、該基盤２上に配設される絵画や写真４、及び該絵画や写真４の上方を間隔を有して被覆する湾曲状水晶板５とより構成している。
【００１５】
基盤２は、その表面側を平坦状とし、その周囲から内側方向に対して鋭角状に立ち上げ部３を連続形成している。該立ち上げ部３の表面側及びその先端部６は凹凸形状や各種模様等の様々な装飾手段を形成することができる。また、上記のように鋭角状に立ち上げ部３を折り返し形成しているので、内側に配置した絵画や写真４の周縁部７の納まりを良好とし、且つその上方を間隔を有して被覆する水晶板５の表面側端縁部８を周囲から押さえ付けることができ、内側に配置された絵画や写真４が当該位置より脱落することはない。
【００１６】
上記絵画や写真４は、動物や植物等様々な対象物を必要に応じて選択することができる。絵画の場合は、こしのある画面にアクリル材等の絵具を使用して細筆等により手描きの細密画を選択することができる。絵画や写真４は基盤２の大きさとほぼ同じ大きさでその上面に配置できる小さなものとなるため、動物の顔等のようにポイントを定めたものとすることにより、外部から可視してその内容を認識することが可能となる。
【００１７】
水晶板５は、その表・裏面を滑な状態で湾曲状に突出形成した湾曲体で、その裏面側は表面側の湾曲面とその曲率がほぼ同様となるようにカットして形成している。従って、水晶板５が凸レンズとなり、その内側に配置した絵画や写真４がレンズ効果により拡大されることがなく、且つ中心部と周辺部との屈折率が異なることによる見る角度によっての不規則となる拡大面が生じることのないようにしている。
【００１８】
該水晶板５は、その端縁部８により絵画又は写真を押さえ付けると同時に、その端縁部８の表面側は鋭角状に折り返した状態で立ち上がる立ち上げ部３によってかしめるようにして押さえ込まれているので、絵画や写真４及び該水晶板５は強固に固定され、当該配設した位置より脱落することはない。
【００１９】
上記ベース部の上方部にバチカン９等を設け、チェーン１０を貫通取り付けすることにより絵画や写真が前面に現われるペンダントとすることができる。
【実施例２】
【００２０】
図２は、本考案の装飾品１１の他の実施例で、リングに使用したものの一部断面正面図である。基盤１２、立ち上げ部１３、絵画や写真１４、水晶板１５等の構成は、上記実施例１と同様である。
【００２１】
上記基盤１２をリングの一部に固定することによりリングの装飾品１１とすることができる。
【実施例３】
【００２２】
図３は、本考案の装飾品２１の他の実施例で、ブローチに使用したものである。基盤、立ち上げ部、絵画や写真、水晶板等の構成は、上記実施例１、２と同様である。
【００２３】
上記基盤に安全ピン等の他への取着手段を取り付けることによりブローチの装飾品２１とすることができる。
【実施例４】
【００２４】
図４は、本考案の装飾品３１の他の実施例で、キーホルダーに使用したものである。基盤、立ち上げ部、絵画や写真、水晶板等の構成は、上記実施例１乃至３と同様である。
【００２５】
上記基盤にバチカン等を介してチェーン等と連結し、その他方側となる先端に装着手段を設けることによりキーホルダーの装飾品３１とすることができる。
【実施例５】
【００２６】
上記実施例４のチェーンに替えてひも状のものを取着することにより携帯電話等のストラップとして使用することができる。
【図面の簡単な説明】
【００２７】
【図１】装飾品をペンダントに使用した１実施例の（ａ）正面図、（ｂ）断面図。
【図２】装飾品をリングに使用した他の実施例の一部断面正面図。
【図３】装飾品をブローチに使用した他の実施例の斜視図。
【図４】装飾品をキーホルダーに使用した他の実施例の斜視図。
【符号の説明】
【００２８】
１、１１、２１、３１      装飾品
２、１２                  基盤
３、１３                  立ち上げ部
４、１４                  絵画や写真
５、１５                  水晶板
６                        先端部
７                        周縁部
８                        端縁部
９                        バチカン
１０                        チェーン
【図１】
0003134343.tif 000003
【図２】
0003134343.tif 000004
【図３】
0003134343.tif 000005
【図４】
0003134343.tif 000006